(57)【要約】  【課題】最下部の貯蔵室の収納量を増加させた上に、内容積を損なうことなく、蒸発皿の水の蒸発量を十分に確保する冷蔵庫を提供するものである。  【解決手段】内箱２１と外箱２２と発泡断熱材２３からなる断熱箱体２と、断熱箱体２の天面もしくは背面上部に圧縮機３３を配設し、断熱箱体２の下部に蒸発皿１５を凝縮器３４を固定する固定部材４４と一体にて備えたことにより、最下部の貯蔵室の収納量を増加させた上に、内容積を損なうことなく、蒸発皿の水の蒸発量を十分に確保することが安価にできるものである。【選択図】図１
2007071451.tif 000002
【特許請求の範囲】
【請求項１】
内箱と外箱と発泡断熱材からなる断熱箱体と、断熱箱体の天面もしくは背面上部に圧縮機を配設し、前記断熱箱体下部に蒸発皿と凝縮器とを備え、前記蒸発皿は前記凝縮器を保持固定する固定部材と一体に形成したことを特徴とする冷蔵庫。
【請求項２】
凝縮器の一部が蒸発皿の内部を経由したことを特徴とする請求項１に記載の冷蔵庫。
【請求項３】
蒸発皿に凝縮器を固定するツメを有することを特徴とする請求項１または２に記載の冷蔵庫。
【請求項４】
蒸発皿の外周壁を二重構造としたことを特徴とする請求項１から３のいずれか一項に記載の冷蔵庫。
【請求項５】
蒸発皿に送風機固定部を設けたことを特徴とする請求項１から４のいずれか一項に記載の冷蔵庫。
【発明の詳細な説明】
【技術分野】
【０００１】
本発明は圧縮機を天面部に積載した冷蔵庫に関するものである。
【背景技術】
【０００２】
近年、冷蔵庫は地球環境保護の観点から更なる省エネルギー化が進むと共に、その使い勝手や収納性の向上が求められている。
【０００３】
従来のこの種の冷蔵庫は、下奥部の使い勝手の向上を図るために、冷蔵庫本体の上部に冷凍サイクルの構成部品を収納する方法が取られていた。また、蒸発皿は蒸発皿内滞留水の蒸発量の向上、冷蔵庫運搬時の水漏れ防止の観点から冷蔵庫最下部に収納するという方法がとられていた（たとえば、特許文献１参照）。
【０００４】
図６は、特許文献１に記載された従来の冷蔵庫の構成を示すものである。
【０００５】
図６に示すように、冷蔵庫本体１は断熱箱体２を有し、断熱箱体２の前方開放面には扉３が設けられている。断熱箱体２はルーフパネル４、ベースパネル５、サイドパネル６、リアパネル７で組み立てられている。断熱箱体２の内部には冷却ユニット８が取りつけられている。冷却ユニット８は冷却ダクト９、庫内ファン１０、冷却器１１、排水パイプ１２で構成されている。排水パイプ１２の後端部は、リアパネル７の内部に埋設された排水路１３に接続しており、排水路１３の下端部はベースパネル５の下面に取りつけられた排水部材１４の上方に臨んでおり、排水部材１４の前方端部は、ベースパネル５の下面に配置された蒸発皿１５の上方に臨んでいる。
【０００６】
また、断熱箱体２のルーフパネル４の上面には機械室１６が配設されている。機械室１６の機械室カバー１７内には、圧縮器（図示せず）、凝縮器（図示せず）、凝縮器冷却ファン（図示せず）が配設されている。機械室カバー１７の右側に吸気口１８、左側及び後側には吸排気口１９が設けられている。機械室カバー１７の後方下部からは、リアパネル７に沿って、排気ダクト２０が設けられている。排気ダクト２０は、機械室１６の機械室カバーと粗同等の幅を有している。
【０００７】
以上の構成において、冷却器１１の除霜時に発生する除霜水は、排水パイプ１２から排水路１３を経て、排水部材１４を通り、蒸発皿１５に排水される。
【０００８】
また、機械室１６の運転時に凝縮器冷却用ファンが回転駆動し、吸気口１８より吸気し、左側の排気口１９から排出されるとともに、その一部が後側の排気口１９にも排気される。このように、排出された排気は、矢印にて示すように、排気ダクト２０を通り、下方に排出される。排出された排気はリアパネル７及び蒸発皿１５を加温し、蒸発皿内の水を蒸発させている。
【特許文献１】特開平１１−６３７９０号公報
【発明の開示】
【発明が解決しようとする課題】
【０００９】
しかしながら、上記従来の構成では、断熱箱体の最上部から最下部に空気が送られるため、冷蔵庫の高さが１８００ｍｍ程度となっている近年では、通風抵抗が非常に大きく、蒸発皿内の水を蒸発させるために十分な送風面積が必要である。よって、十分な送風面積を有すると、収納容積が低下するという問題があった。
【００１０】
本発明は、上記従来の課題を解決するもので、最下部の貯蔵室の収納量を増加させた上に、内容積を損なうことなく、蒸発量の十分な確保を図り、安価にかつ組立て作業が容易な冷蔵庫を提供することを目的とする。
【課題を解決するための手段】
【００１１】
上記従来の課題を解決するために、本発明の冷蔵庫は、内箱と外箱と発泡断熱材からなる断熱箱体と、断熱箱体の天面もしくは背面上部に圧縮機を配設し、前記断熱箱体下部に蒸発皿と凝縮器とを備え、前記蒸発皿は前記凝縮器を保持固定する固定部材と一体に形成したものである。
【００１２】
これにより、最下部の貯蔵室の収納量を増加させた上に、内容積を損なうことなく、蒸発量の十分な確保を図り、安価にかつ組立て作業が容易となる。
【発明の効果】
【００１３】
本発明の冷蔵庫は、最下部の貯蔵室の収納量を増加させた上に、内容積を損なうことなく、蒸発皿の水の蒸発量を十分に確保する冷蔵庫を提供することができる。また、構造も簡単であるため、組立てや解体の作業を容易にすることができ、しかも安価に製品を提供することができる。
【発明を実施するための最良の形態】
【００１４】
請求項１に記載の発明は、内箱と外箱と発泡断熱材からなる断熱箱体と、断熱箱体の天面もしくは背面上部に圧縮機を配設し、前記断熱箱体下部に蒸発皿と凝縮器とを備え、前記蒸発皿は前記凝縮器を保持固定する固定部材と一体に形成したものであり、最下部の貯蔵室の収納量を増加させた上に、内容積を損なうことなく、蒸発皿の水の蒸発量を十分に確保する冷蔵庫を提供することができる。また、構造も簡単であるため、組立てや解体の作業を容易にすることができ、しかも安価に製品を提供することができる。
【００１５】
請求項２に記載の発明は、請求項１に記載の発明において、凝縮器の一部が蒸発皿内部を経由したことにより、蒸発皿内の水を直接、加熱することで、最下部の貯蔵室の収納量を増加させた上に、内容積を損なうことなく、蒸発皿の水の蒸発量を十分に確保することができる。
【００１６】
請求項３に記載の発明は、請求項１または２に記載の発明において、蒸発皿に凝縮器を固定するツメを設けたことにより、凝縮器の位置固定が確実に、かつ安価にすることができる。
【００１７】
請求項４に記載の発明は、請求項１から３のいずれか一項に記載の発明において、蒸発皿の外周壁を二重構造としたものであり、蒸発皿に蓄積された水が溢れて冷蔵庫外へこぼれ出すことを確実に防止することができる。
【００１８】
請求項５に記載の発明は、請求項１から４のいずれか一項に記載の発明において、蒸発皿に送風機固定部を設けたものであり、安価に送風機固定ができ、冷蔵庫の組立作業性も容易にすることができる。
【００１９】
以下、本発明の実施の形態について、図面を参照しながら説明するが、従来例または先に説明した実施の形態と同一構成については同一符号を付して、その詳細な説明は省略する。なお、この実施の形態によって、この発明が限定されるものではない。
【００２０】
（実施の形態１）
図１は、本発明の実施の形態１における冷蔵庫の概略断面図を示すものであり、図２は冷蔵庫の底部平面図を示すものであり、図３は冷蔵庫の底部側面図を示すものである。
【００２１】
図１において、冷蔵庫本体１は複数の断熱区画に区分されている断熱箱体２と各断熱区画に設けられた扉にて構成されている。断熱箱体２はＡＢＳなどの樹脂体を真空成型した内箱２１とプリコート鋼板などの金属材料を用いた外箱２２とで構成された空間に発泡断熱体２３を注入してなる断熱壁を備えている。発泡断熱体２３はたとえば硬質ウレタンフォームやフェノールフォームやスチレンフォームなどが用いられる。発泡材としてはハイドロカーボン系のシクロペンタンを用いると、温暖化防止の観点でさらによい。
【００２２】
断熱箱体２は、上から冷蔵室２４、野菜室２５と冷凍室２６の構成となっている。各断熱区画にはそれぞれ断熱扉がガスケット２７を介して設けられている。上から冷蔵室扉２８、野菜室扉２９、冷凍室扉３０である。
【００２３】
冷蔵室２４は冷蔵保存のために凍らない温度を下限に通常１〜５℃で設定されている。また、貯蔵ケース３１は肉魚などの保鮮性向上のため比較的低めの温度、たとえば−３〜１℃で設定される。野菜室２５は冷蔵室２４と同等もしくは若干高い温度設定の２℃〜７℃とすることが多い。低温にするほど葉野菜の鮮度を長期間維持することが可能である。
【００２４】
冷凍室２６は冷凍保存のために通常−２２〜−１８℃で設定されているが、冷凍保存状態の向上のために、たとえば−３０や−２５℃の低温で設定されることもある。
【００２５】
断熱箱体２は天面後方部を窪ませた凹み部３２を設けてある。凹み部３２には機械室１６が設けられており、機械室１６は圧縮器３３を収納している。
【００２６】
凹み部には上面と背面が一体になった機械室カバー１７が設けられており、機械室カバー１７の上面には外気を取り入れるための吸入口（図示せず）と背面には外気を排出するための排気口１９が設けられている。
【００２７】
野菜室２５と冷凍室２６の背面に冷却室３６が設けられ、冷却室３６は断熱性を有する第一の仕切り３７で野菜室２５及び冷凍室２６を仕切っている。野菜室２５と冷凍室２６は断熱性を有する第二の仕切り３８で仕切られている。
【００２８】
冷却室３６には、冷却器１１と、強制対流式による庫内ファン１０と、冷却時に冷却器１１に付着する霜を除霜するラジアントヒータ３９と、除霜された水を受けるドレンパン４０と、ドレンパン４０に接続された排水管４１が断熱箱体２の底面を経由し、断熱箱体２の底面下部に設けられた蒸発皿１５に排水するよう構成された除霜水排水機構４２が設けられている。
【００２９】
断熱箱体２の底面下部に設けられた蒸発皿１５は、蒸発皿１５の表面積を拡大させるために浅広く形成されている。
【００３０】
断熱箱体２の底面には浸漬パイプ４３が設けられており、蒸発皿１５に浸る形状となっている。
【００３１】
断熱箱体２の底面には、フィンを螺旋状に巻き付けたパイプよりなる凝縮器（スパイラルフィン型凝縮器）３４、およびスパイラルフィン型凝縮器３４を保持固定する固定部材４４が設置されている。この固定部材４４は、スパイラルフィン型凝縮器３４を保持固定するとともに、スパイラルフィン型凝縮器３４が外圧による損傷からの保護機能および、スリット穴を設けることにより、ダクトの機能も有する。蒸発皿１５は固定部材４４と一体で形成されている。
【００３２】
また、蒸発皿１５には、浸漬パイプ４３を位置固定するためのツメ４７が設けられている。
【００３３】
以上のように構成された冷蔵庫について、以下その動作、作用を説明する。
【００３４】
まず、冷凍サイクルの動作について説明する。庫内の設定された温度に応じて制御基盤（図示せず）からの信号により冷凍サイクルが動作して冷却運転が行われる。圧縮機３３の動作により吐出された高温高圧の冷媒は、スパイラルフィン型凝縮器３４と、凝縮パイプ４６と、浸漬パイプ４３にて放熱して凝縮液化し、キャピラリ（図示せず）に至る。その後、キャピラリではサクションライン（図示せず）と熱交換しながら減圧されて低温低圧の液冷媒となって冷却器１１に至る。
【００３５】
庫内ファン１０の動作により、各貯蔵室内の空気と熱交換されて冷却器１１内の冷媒は蒸発気化する。低温の冷気をダンパ（図示せず）などで分配することで各室の冷却を行う。冷却器１１を出た冷媒はサクションラインを経て圧縮機３３へと吸い込まれる。
【００３６】
一定時間、各室の冷却を行った後、冷却器１１に付着した霜を除去するために、圧縮器３３を停止し、ラジアントヒータ３９に通電される。すると、冷却器１１に付着した霜が溶解し、ドレンパン４０上に滴下し、排水管４１を経由して、蒸発皿１５に滞留する。
【００３７】
冷却器１１の霜が除去された後、ラジアントヒータ３９の通電が終了し、再度、圧縮器３３が動作する。蒸発皿１５に滞留した水は圧縮器３３の動作中、浸漬パイプ４３により加熱され、蒸発皿１５より蒸発する。
【００３８】
以上のように、本発明の形態においては、蒸発皿とスパイラルフィン型凝縮器の固定部材を一体にて形成したことにより、別体の場合と比して製品の作成が安価であり、構造も簡単になるため、組立てや解体の作業も容易になる。
【００３９】
また、冷蔵庫底面に蒸発皿を設置し、凝縮器の一部が蒸発皿内を経由するようにしたことにより、蒸発皿内も水を直接、加熱することで、最下部の貯蔵室の収納量を増加させた上に、内容積を損なうことなく、蒸発皿内の水の蒸発量を十分に確保することができる。
【００４０】
また、蒸発皿に凝縮器（浸漬パイプ）を位置固定するツメを設けたことにより、浸漬パイプの位置を規制でき、例えば、ツメを蒸発皿の底面に設けパイプを蒸発皿の底面付近に設置すれば、水量が少ない時点で凝縮器に浸すことが可能であり効率良く水を蒸発させることができる。さらに、蒸発皿と一体にてツメを設けているので、別体の場合と比して製品の作成が安価であり、構造も簡単になるため、組立てや解体の作業も容易になる。
【００４１】
（実施の形態２）
図４は本発明の実施の形態２における冷蔵庫の底部平面図を示すものである。なお、背景技術を同一構成については同一符号を付す。また、実施の形態１と同様の動作については説明を省略する。
【００４２】
保持部材４４と一体にて形成された蒸発皿１５の外周にさらにもう一重の堰４８を保持部材４４上に設けて蒸発皿１５の外周壁を二重構造としている。
【００４３】
以上のように、本発明の形態においては、蒸発皿の外周にさらにもう一重の堰を設けたことにより、蒸発皿に蓄積された水が溢れだしても外側の堰により水が冷蔵庫外へ流出するのを防止する安全性を増すことができる。
【００４４】
（実施の形態３）
図５は本発明の実施の形態３における冷蔵庫の底部平面図を示すものである。なお、背景技術を同一構成については同一符号を付す。また、実施の形態１と同様の動作については説明を省略する。
【００４５】
蒸発皿１５に蒸発皿１５に蓄積された水の蒸発を促進させる送風機固定部４９を設けている。
【００４６】
以上のように、本発明の形態においては、蒸発皿に送風機固定部を一体にて設けたため、別体の場合と比して製品の作成が安価であり、構造も簡単になるため、組立てや解体の作業も容易になる。さらに送風機固定部に送風機を固定してやれば、蒸発皿に蓄積された水の蒸発を促進させることができる。
【産業上の利用可能性】
【００４７】
以上のように、本発明にかかる冷蔵庫は、蒸発皿とスパイラルフィン型凝縮器の保持部材を一体形成したもので、同様の部品点数削減によるコストダウン、組立て作業性の向上等にも適用できる。
【図面の簡単な説明】
【００４８】
【図１】本発明の実施の形態１における冷蔵庫の概略断面図
【図２】本発明の実施の形態１における冷蔵庫の底部平面図
【図３】本発明の実施の形態１における冷蔵庫の底部側面図
【図４】本発明の実施の形態２における冷蔵庫の底部平面図
【図５】本発明の実施の形態３における冷蔵庫の底部平面図
【図６】従来の冷蔵庫の概略断面図
【符号の説明】
【００４９】
２    断熱箱体
１５  蒸発皿
２１  内箱
２２  外箱
２３  発泡断熱材
３３  圧縮機
３４  スパイラルフィン型凝縮器
４３  浸漬パイプ
４４  固定部材
４７  ツメ
４８  堰
４９  送風機固定部
【図１】
2007071451.tif 000003
【図２】
2007071451.tif 000004
【図３】
2007071451.tif 000005
【図４】
2007071451.tif 000006
【図５】
2007071451.tif 000007
【図６】
2007071451.tif 000008